(57)【特許請求の範囲】
【請求項１】
高所作業車から水平方向に張り出したアウトリガの側面の所定位置に固定部材によって取り付けられ、上端部が垂直方向に複数の高さを取り得、伸長時における前記上端部の高さが、前記高所作業車に備えられたブームの最下端部の高さよりも高い
高所作業車用安全標識。
【請求項２】
第１標識体と、
前記第１標識体に対して垂直方向に伸長する第２標識体と、
を備える
請求項１に記載の高所作業車用安全標識。
【請求項３】
前記第２標識体は、可撓性を有している
請求項２に記載の高所作業車用安全標識。
【請求項４】
前記固定部材は、永久磁石である
請求項１乃至請求項３に記載の高所作業車用安全標識。
【発明の詳細な説明】
【技術分野】
【０００１】
本発明は、高所作業車用安全標識に関する。
【背景技術】
【０００２】
従来、高所作業時における安定性確保のためのアウトリガを装備した高所作業車を道路上に一時的に配備する際には、セーフティコーン等の安全表示具を作業エリアの隅に配置して後続車や歩行者等の第三者に注意を喚起している（例えば、特許文献１）。
【先行技術文献】
【特許文献】
【０００３】
【特許文献１】特開２０１０−００６２９７号公報
【発明の概要】
【発明が解決しようとする課題】
【０００４】
一般に、セーフティコーンのような安全表示具は、後続車のドライバーや歩行者の視線に対して低い位置に配置されるため視認され難い。また、作業時における高所作業車は、走行時における車幅よりもアウトリガが大きく水平方向に張り出すため、第三者がセーフティコーン等の安全表示具を認識する前に、作業エリアに接近してアウトリガに接触する可能性がある。
【０００５】
本発明は、上記に鑑みてなされたものであって、第三者が高所作業車のアウトリガの張り出し範囲を認識し易い高所作業車用安全標識を提供する。
【課題を解決するための手段】
【０００６】
上述した課題を解決し、目的を達成するために、本発明の高所作業車用安全標識は、高所作業車から水平方向に張り出したアウトリガの側面の所定位置に固定部材によって取り付けられ、上端部が垂直方向に複数の高さを取り得る。
【０００７】
本発明の望ましい態様として、伸長時における前記上端部の高さが、前記高所作業車に備えられたブームの最下端部の高さよりも高い。
【０００８】
本発明の望ましい態様として、高所作業車用安全標識は、第１標識体と、前記第１標識体に対して垂直方向に伸長する第２標識体と、を備える。
【０００９】
本発明の望ましい態様として、前記第２標識体は、可撓性を有している。
【００１０】
本発明の望ましい態様として、前記固定部材は、永久磁石である。
【発明の効果】
【００１１】
本発明によれば、第三者が高所作業車のアウトリガの張り出し範囲を認識し易い高所作業車用安全標識を提供することができる。
【図面の簡単な説明】
【００１２】
【図１】図１は、高所作業車に実施形態に係る高所作業車用安全標識を装備した例を示す図である。
【図２】図２は、実施形態に係る高所作業車用安全標識における伸縮構造の一例を示す図である。
【図３】図３は、実施形態に係る高所作業車用安全標識における伸長時の第１標識体と第２標識体との固定構造の一例を示す図である。
【図４】図４は、実施形態に係る高所作業車用安全標識の固定部材の一例を示す図である。
【図５】図５は、実施形態に係る高所作業車用安全標識の固定部材の図４とは異なる一例を示す図である。
【図６】図６は、図５に示す固定部材の受け側となる被固定部材の一例を示す図である。
【図７】図７は、図５に示す固定部材と図６に示す被固定部材との掛止部分を示す図である。
【図８】図８は、実施形態に係る高所作業車用安全標識における伸長時の高さの一例を示す図である。
【発明を実施するための形態】
【００１３】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１４】
図１は、高所作業車に実施形態に係る高所作業車用安全標識を装備した例を示す図である。図１に示す高所作業車１００は、車体から水平方向に張り出し可能なアウトリガ２と、高所作業を行うためのブーム３と、を備えている。
【００１５】
アウトリガ２は、高所作業車１００の車体をジャッキアップして高所作業時の車体の安定性を保つためのジャッキシリンダ２１と、このジャッキシリンダ２１を水平方向に張り出すためのアウトリガアーム２２と、を備えている。ブーム３については後述する。
【００１６】
図１に示すように、実施形態に係る高所作業車用安全標識１は、第１標識体１１と、第２標識体１２と、固定部材１３と、を備え、高所作業車１００から水平方向に張り出したアウトリガ２のジャッキシリンダ２１の側面の所定位置に固定部材１３によって取り付けられる。第１標識体１１及び第２標識体１２は、蛍光塗料や夜光塗料等が塗布されるか、あるいは、ＬＥＤを点灯もしくは点滅させることで、周囲の第三者に注意を喚起する構成となっている。なお、周囲の第三者に注意を喚起するための構成については、これに限るものではなく、公知の他の手法あるいは構成であっても良いことは言うまでもない。
【００１７】
また、図１に示す例では、高所作業車１００の車体の一方側面に水平方向に張り出したアウトリガ２のジャッキシリンダ２１の側面に高所作業車用安全標識１が取り付けられた例を示しているが、高所作業車１００の車体の他方側面に水平方向に張り出したアウトリガ２のジャッキシリンダ２１の側面に高所作業車用安全標識１を取り付けても良い。実施形態に係る高所作業車用安全標識１は、高所作業を行う現場毎に、何れか一方あるいは双方の側面に取り付け可能である。
【００１８】
また、実施形態に係る高所作業車用安全標識１は、図１（ａ），（ｂ）に示すように、必要に応じて伸縮させることが可能である。図２は、実施形態に係る高所作業車用安全標識における伸縮構造の一例を示す図である。
【００１９】
実施形態に係る高所作業車用安全標識１は、例えば、図２に示すように、第１標識体１１及び第２標識体１２が円筒状の部材であり、第１標識体１１に第２標識体１２を収納可能な構成とすることで、伸縮構造を実現することができる。なお、図２に示す例では、第１標識体１１及び第２標識体１２が円筒状の部材である例を示したが、第１標識体１１及び第２標識体１２の水平断面が三角形や四角形、あるいはそれ以上の多角形の筒状の部材であっても良い。
【００２０】
図３は、実施形態に係る高所作業車用安全標識における伸長時の第１標識体と第２標識体との固定構造の一例を示す図である。図３に示す例では、実施形態に係る高所作業車用安全標識１の伸長時において、第２標識体１２の外面端部に設けられた掛止部１２ａが、第１標識体１１の内面に設けられた被掛止部１１ａに係合することによって、伸長状態が保たれる構造を示している。なお、実施形態に係る高所作業車用安全標識１における伸縮時の固定構造はこれに限るものではなく、例えば、第１標識体１１の内面の複数箇所に被掛止部１１ａを設け、高所作業車用安全標識１の高さを多段階に調整可能な構成としても良いし、第１標識体１１の内面と第２標識体１２の外面との間の摩擦抵抗によって、高所作業車用安全標識１の高さを無段階に調整可能な構成としても良い。
【００２１】
図４は、実施形態に係る高所作業車用安全標識の固定部材の一例を示す図である。図４（ａ）は、図１に示す固定部材１３周辺の拡大図を示し、図４（ｂ）は、図４（ａ）を矢示方向から見た図を示している。
【００２２】
図４（ａ），（ｂ）に示す例では、固定部材１３を永久磁石で構成した例を示している。アウトリガ２のジャッキシリンダ２１の側面の部材が鉄等の強磁性体である場合には、図４に示すように、高所作業車用安全標識１の固定部材１３を永久磁石で構成しても良い。
【００２３】
図５は、実施形態に係る高所作業車用安全標識の固定部材の図４とは異なる一例を示す図である。図６は、図５に示す固定部材の受け側となる被固定部材の一例を示す図である。図７は、図５に示す固定部材と図６に示す被固定部材との掛止部分を示す図である。
【００２４】
図５（ａ）は、固定部材１３に代えて、固定部材１３ａを用いた構成における固定部材１３ａ周辺の拡大図を示し、図５（ｂ）は、図５（ａ）を矢示方向から見た図を示している。
【００２５】
図６（ａ）は、アウトリガ２のジャッキシリンダ２１の側面に設けられた、固定部材１３ａを受ける被固定部材２１ａ周辺の拡大図を示し、図６（ｂ）は、図６（ａ）を矢示方向から見た図を示している。
【００２６】
図５に示す例では、高所作業車用安全標識１の固定部材１３ａは、例えば金属製の逆Ｌ字型部材で構成されている。また、図６に示すように、アウトリガ２のジャッキシリンダ２１の側面には、例えば金属製のコの字部材で構成される被固定部材２１ａが設けられている。図７に示すように、高所作業車用安全標識１に設けられ逆Ｌ字型部材で構成された固定部材１３ａが、アウトリガ２のジャッキシリンダ２１の側面に設けられコの字部材で構成された被固定部材２１ａに組み合わされることで、高所作業車用安全標識１がアウトリガ２のジャッキシリンダ２１の側面に固定される。この構成は、アウトリガ２のジャッキシリンダ２１の側面の部材が、例えば、鉄の含有量が低いステンレス鋼や、アルミや銅等の非鉄金属である場合に有効である。なお、高所作業車用安全標識１の取り付け構造は上記に限るものではない。
【００２７】
図８は、実施形態に係る高所作業車用安全標識における伸長時の高さの一例を示す図である。上述したように、本実施形態における高所作業車１００は、高所作業を行うためのブーム３を備えている。図８に示すように、ブーム３は、ブームアーム３１と、作業台３２と、を含み構成され、高所作業車１００の車体に対して旋回動及び起伏動させることができる。さらには、ブーム３の長手方向に伸縮動させることができる。ここでは、ブーム３の高所作業車１００の車体に対する旋回動、起伏動、及び伸縮動についての詳細な説明は省略する。
【００２８】
図８に示す例では、ブーム３の構成要素の最下端部（図８に示す例では、作業台３２の下端部）の位置が最も低くなる例を示している。本実施形態では、ブーム３の構成要素の最下端部（図８に示す例では、作業台３２の下端部）の高さＨ１よりも、高所作業車用安全標識１の伸長時における第２標識体１２の上端部の高さＨ２が高くなるように構成している。すなわち、第三者は、少なくともこの高所作業車用安全標識１の伸長時の上端部の高さＨ２までの高さ範囲内が、高所作業車１００の高所作業時における危険領域であることを認識することができる。
【００２９】
上記構成では、ブーム３の高所作業車１００の車体に対する旋回動や起伏動によって、作業台３２やブームアーム３１が高所作業車用安全標識１に干渉する可能性がある。従って、高所作業車用安全標識１の伸長時において作業台３２やブームアーム３１が干渉する可能性がある第２標識体１２を構成する素材は、可撓性を有し、第１標識体１１を構成する素材よりも高い弾性変形性を有する素材であるのが好ましい。これにより、作業台３２やブームアーム３１が第２標識体１２に干渉しても、ブーム３及び高所作業車用安全標識１の双方の破損を防止することができる。
【００３０】
一方、高所作業車１００の移動時等で高所作業車用安全標識１を取り外した際には、高所作業車用安全標識１を縮めておくことができ、可搬性や保管性の高い高所作業車用安全標識１が得られる。
【００３１】
また、上述したように、第１標識体１１の内面の複数箇所に被掛止部１１ａを設け、高所作業車用安全標識１の高さを多段階に調整可能な構成とする、あるいは、第１標識体１１の内面と第２標識体１２の外面との間の摩擦抵抗によって、高所作業車用安全標識１の高さを無段階に調整可能な構成とすれば、高所作業車１００におけるブーム３の可動範囲に応じて、高所作業車用安全標識１の伸長時の上端部の高さＨ２を設定することができる。
【００３２】
以上説明したように、実施形態に係る高所作業車用安全標識１は、高所作業車１００から水平方向に張り出したアウトリガ２の側面の所定位置に固定部材１３によって取り付け可能であるので、第三者が高所作業車１００のアウトリガ２の張り出し範囲を認識し易くなり、高所作業時の安全性を高めることができる。
【００３３】
また、第１標識体１１と、この第１標識体１１に対して垂直方向に伸長する第２標識体１２とを備え、第２標識体１２の上端部が垂直方向に複数の高さを取り得る構成とすることで、高所作業時においては、高所作業車用安全標識１を伸長させて第三者に対する注意喚起効果を高めることができ、高所作業車用安全標識１を取り外した際には、高所作業車用安全標識１を縮めておき、可搬性や保管性を高めることができる。
【００３４】
さらに、高所作業車用安全標識１の伸長時において、ブーム３の構成要素の最下端部の高さＨ１よりも、高所作業車用安全標識１の伸長時における第２標識体１２の上端部の高さＨ２が高くなるように構成することで、第三者は、少なくともこの高所作業車用安全標識１の伸長時の上端部の高さＨ２までの高さ範囲内が、高所作業車１００の高所作業時における危険領域であることを認識することができ、高所作業時における注意喚起効果をより高めて高所作業時の安全性をより高めることができる。
【００３５】
なお、上記した実施形態では、第１標識体１１に第２標識体１２を収納可能であり、伸縮構造を実現可能な構成について説明したが、高所作業車用安全標識１として第三者から視認される高さを選択可能な構成であれば、上述した構成に限るものではない。例えば、第１標識体１１と平行に第２標識体１２を設け、第１標識体１１と第２標識体１２とが平行にスライドすることで高さが可変可能な構成であっても良い。
【００３６】
また、上記した実施形態では、第１標識体１１の２箇所に固定部材１３，１３ａを設けた構成を示したが、十分な固定強度が確保できれば、固定部材１３，１３ａを１箇所に設けた構成であってもよいし、２箇所以上の複数箇所に固定部材１３，１３ａを設けた構成であっても良いことは言うまでもない。
【符号の説明】
【００３７】
１  高所作業車用安全標識
２  アウトリガ
３  ブーム
１１  第１標識体
１２  第２標識体
１３  固定部材（永久磁石）
１３ａ  固定部材（逆Ｌ字部材）
２１  ジャッキシリンダ
２１ａ  被固定部材（コの字部材）
２２  アウトリガアーム
３１  ブームアーム
３２  作業台
１００  高所作業車
【図１】
0006658083.tif 000002
【図２】
0006658083.tif 000003
【図３】
0006658083.tif 000004
【図４】
0006658083.tif 000005
【図５】
0006658083.tif 000006
【図６】
0006658083.tif 000007
【図７】
0006658083.tif 000008
【図８】
0006658083.tif 000009